(57)【要約】【課題】  高齢者や障害者でも背中を洗い易くし、浴用タオルの乾燥を速くして雑菌の増殖を防止し、日光に当てる際は全面に紫外線を当てるようにする。【解決手段】  入浴時に身体を洗う浴用タオルであって、一対の長辺と、一対の短辺とを外形に持つタオル地と、このタオル地にタオル地の長辺方向に開口部を設けて構成される浴用タオルであり、この開口部は入浴者の胴体が肩から脇に掛けて挿入可能な大きさであることを特徴とする浴用タオルである。【選択図】図１
2016093316.tif 000002
【特許請求の範囲】
【請求項１】
入浴時に身体を洗う浴用タオルであって、略平行な一対の長辺と、一対の短辺とを外形に持つタオル地と、このタオル地にタオル地の長辺方向に開口部を設けて構成される浴用タオルであり、この開口部は入浴者の胴体が一方の肩から他方の脇に掛けて挿入可能な大きさであることを特徴とする浴用タオル。
【請求項２】
請求項１の浴用タオルのタオル地は長方形の外形を有していることを特徴とする浴用タオル。
【請求項３】
請求項１の浴用タオルのタオル地の外形の短辺の交点に丸みを持たせたことを特徴とする浴用タオル。
【請求項４】
請求項１から請求項３の何れかの浴用タオルのタオル地を一枚の生地で構成したことを特徴とする浴用タオル。
【請求項５】
請求項１から請求項３の何れかの浴用タオルのタオル地を一対の生地を結合させて構成したことを特徴とする浴用タオル。
【発明の詳細な説明】
【技術分野】
【０００１】
この発明は、背中を洗い易くした浴用タオルに関する。
【背景技術】
【０００２】
従来、入浴時に背中を洗う際は、タオルの両端を両方の手で握って、タオルを背中に回して洗っていた。このとき、高齢者や障害者には、腕が上方や後方に十分に曲がらず、背中を洗うのが困難な場合があった。
【先行技術文献】
【特許文献】
【０００３】
【特許文献１】実開平５−３４９９４
【特許文献２】特開２００１ー９０４４
【発明の概要】
【発明が解決しようとする課題】
【０００４】
特許文献１および特許文献２に開示されたように、背中を洗うためにタオルを短い円筒状にした構造のタオルが開示されていた。このタオルの一方を背中に回し、他方は前に回して背中を洗い易くしていた。
【０００５】
しかしながら、図９に示すように、浴用タオルを乾かす時に浴用タオル自身が二重になって重なってしまい、乾き難いという問題があった。浴用タオルには人体の雑菌が着き易く、タオルが湿ったままだと雑菌が繁殖して不衛生になる問題があった。特に家族共用タオルだと家族間で病気が感染してしまう恐れがあった。
【課題を解決するための手段】
【０００６】
入浴時に身体を洗う浴用タオルであって、略平行な一対の長辺と、一対の短辺とを外形に持つタオル地と、このタオル地にタオル地の長辺方向に開口部を設けて構成される浴用タオルであり、この開口部は入浴者の胴体が一方の肩から他方の脇に掛けて挿入可能な大きさであることを特徴とする浴用タオルである。
【発明の効果】
【０００７】
上記の問題点を解決し、高齢者や障害者でも背中を洗い易くし、浴用タオルの乾燥を速くして雑菌の増殖を防止し、日光に当てる際は全面に紫外線を当てることがきるので消毒の効果も得ることができる。
【図面の簡単な説明】
【０００８】
【図１】第一の実施例の浴用タオルを示す斜視図である。
【図２】第一の実施例の浴用タオルを使用している状態を示す正面図である。
【図３】第一の実施例の浴用タオルのAは平面図、底面図、Bは左側面図、右側面図、Cは正面図、背面図である。
【図４】第二の実施例の浴用タオルを示す斜視図である。
【図５】第三の実施例の浴用タオルを示す平面図である。
【図６】第四の実施例の浴用タオルを示す平面図である。
【図７】第五の実施例の浴用タオルを示す平面図である。
【図８】第六の実施例の浴用タオルを示す平面図である。
【図９】浴用タオルを乾燥させる状態を示す斜視図を表す。
【発明を実施するための形態】
【０００９】
入浴時に身体を洗う浴用タオルであって、略平行な一対の長辺と、一対の短辺とを外形に持つタオル地と、このタオル地にタオル地の長辺方向に開口部を設けて構成される浴用タオルであり、この開口部は入浴者の胴体が一方の肩から他方の脇に掛けて挿入可能な大きさであることを特徴とする浴用タオルである。
【００１０】
上記の浴用タオルのタオル地は長方形の外形を有していることを特徴とする浴用タオルである。
上記の浴用タオルのタオル地の外形の短辺の交点に丸みを持たせたことを特徴とする浴用タオルである。
上記の浴用タオルのタオル地を一枚の生地で構成したことを特徴とする浴用タオルである。
上記の何れかの浴用タオルのタオル地を一対の生地を結合させて構成したことを特徴とする浴用タオルである。
【実施例】
【００１１】
図１は、第一の実施例の浴用タオル１０であり、浴用タオル１０は、長方形の外形を有するタオル地２０とその中に設けられた開口部３０により構成されている。タオル地２０は、木綿や合成繊維で織った布等で形成され、平行な一対の長辺２４と一対の短辺２２とで構成される外形を有している。短辺２２と長辺２４は、繊維がほつれない様に周辺縁どり２１がなされている。
【００１２】
タオル地２０の長辺２４の略中間の平行方向に開口部３０が設けられている。開口部３０は短辺２２の近傍の一定距離まで延在している。開口部３０には繊維がほつれない様に開口部縁どり３１がなされている。開口部３０の端部には補強部３２が設けられている。
【００１３】
図２により、浴用タオル１０の使用方法を説明する。背中を洗う際は、浴用タオル１０の開口部３０を拡げ、開口部３０に頭部と胴体を通して、浴用タオル１０の前部を握って矢印Zの方向に動かして背中を洗うことができる。通常の浴用タオルのように両手を大きく上方や後方に曲げる必要がないので、片手が不自由な人であっても簡単に使用することができる。
【００１４】
図９は浴用タオル１０を乾燥させる方法を示し、図のように一枚の平板状にして干すことができるので、乾燥が速く、全面に日光を当てて紫外線で消毒する効果も得ることが出来る。
【００１５】
図４は、第二の実施例の浴用タオル１０であり、長辺２４と短辺２２の接続部を丸めたものである。また、開口部３０の端部の補強部３２には、略円形の開口部と補強部３２を設け、背中を洗う際にタオル地２０に応力が集中しないようにしたものである。
【００１６】
図５は、第三の実施例の浴用タオル１０であり、浴用タオル１０の真中近傍に摩擦部４０を設け、背中の垢を落とし易くしたものである。摩擦部４０は、摩擦抵抗を大きくしたり、膨出させたりしている。
図６は、第四の実施例の浴用タオル１０であり、二枚の浴用タオルを側部の端部の縫合部３３で縫い合わせたものである。機械設備の都合により適した方法を選ぶことができる。
【００１７】
図7は、第五の実施例の浴用タオル１０であり、開口部３０を浴用タオル１０の最端部まで延在させ、縫合部３３と補強部３２を儲けたものである。
図８は、第六の実施例の浴用タオル１０であり、補強部３２を開口部３０と直角方向に配置したものである。
【産業上の利用可能性】
【００１８】
この発明の浴用タオルは、入浴の際に背中を洗い易くするものであるが、入浴以外でも乾布摩擦などにも利用が可能である。
【符号の説明】
【００１９】
１０は浴用タオル
２０はタオル地
２１は周辺縁どり
２２は短辺
２４は長辺
３０は開口部
３１は開口部縁どり
３２は補強部
３３は縫合部
４０は摩擦部
【図１】
2016093316.tif 000003
【図２】
2016093316.tif 000004
【図３】
2016093316.tif 000005
【図４】
2016093316.tif 000006
【図５】
2016093316.tif 000007
【図６】
2016093316.tif 000008
【図７】
2016093316.tif 000009
【図８】
2016093316.tif 000010
【図９】
2016093316.tif 000011